(57)【要約】【課題】  自端末で撮影された画像及びそれ以外の画像の外部への誤流出を低減可能なカメラ付き携帯端末を提供する。【解決手段】  ユーザ操作によって外部記憶装置２への複写処理が選択されると、制御部１１は外部記憶装置２が接続されていれば、複写画像選択画面を表示し、複写画像の選択処理を行わせる。制御部１１は選択された画像の撮影画像データファイルにユーザに関する情報があれば、撮影画像データファイルのユーザに関する情報内の複写設定を参照して複写設定の判断を行う。制御部１１は複写設定が「許可」に設定されている場合、外部記憶装置２に撮影画像データファイルを複写し、画像の複写を終了した後、複写完了の表示を行う。制御部１１は複写設定が「不許可」に設定されている場合、複写が不許可である旨の表示を行う。【選択図】      図１                                                  
2005167641.tif 000002
【特許請求の範囲】
【請求項１】
画像を撮影する撮影手段を搭載するカメラ付き携帯端末であって、前記撮影手段にて撮影した画像を記録する記録手段と、前記画像に少なくとも当該撮影手段にて撮影されたことを示す判別情報と外部からの指定に基づいて少なくとも前記画像の複写の可否を示す複写設定及び前記画像の転送の可否を示す転送設定からなる画像セキュリティ設定とを付加して前記記録手段に記録する手段とを有することを特徴とするカメラ付き携帯端末。
【請求項２】
前記複写設定が不許可の時に前記記録手段に記録された画像の複写を抑止する手段を含むことを特徴とする請求項１記載のカメラ付き携帯端末。
【請求項３】
前記転送設定が不許可の時に前記記録手段に記録された画像の転送を抑止する手段を含むことを特徴とする請求項１または請求項２記載のカメラ付き携帯端末。
【請求項４】
前記判別情報が自端末に保存された判別情報と一致した時に前記記録手段に記録された画像の前記画像セキュリティ設定を変更する手段を含むことを特徴とする請求項１から請求項３のいずれか記載のカメラ付き携帯端末。
【請求項５】
前記画像の転送を許可する転送設定を携帯電話機に限定して設定自在としたことを特徴とする請求項１から請求項４のいずれか記載のカメラ付き携帯端末。
【請求項６】
画像を撮影する撮影手段を搭載するカメラ付き携帯端末の画像セキュリティ設定方法であって、前記カメラ付き携帯端末側に、前記撮影手段にて撮影した画像に少なくとも当該撮影手段にて撮影されたことを示す判別情報と外部からの指定に基づいて少なくとも前記画像の複写の可否を示す複写設定及び前記画像の転送の可否を示す転送設定からなる画像セキュリティ設定とを付加して前記撮影手段にて撮影した画像を記録する記録手段に記録するステップを有することを特徴とする画像セキュリティ設定方法。
【請求項７】
前記カメラ付き携帯端末側に、前記複写設定が不許可の時に前記記録手段に記録された画像の複写を抑止するステップを含むことを特徴とする請求項６記載の画像セキュリティ設定方法。
【請求項８】
前記カメラ付き携帯端末側に、前記転送設定が不許可の時に前記記録手段に記録された画像の転送を抑止するステップを含むことを特徴とする請求項６または請求項７記載の画像セキュリティ設定方法。
【請求項９】
前記カメラ付き携帯端末側に、前記判別情報が自端末に保存された判別情報と一致した時に前記記録手段に記録された画像の前記画像セキュリティ設定を変更するステップを含むことを特徴とする請求項６から請求項８のいずれか記載の画像セキュリティ設定方法。
【請求項１０】
前記画像の転送を許可する転送設定を携帯電話機に限定して設定自在としたことを特徴とする請求項６から請求項９のいずれか記載の画像セキュリティ設定方法。
【請求項１１】
画像を撮影する撮影手段を搭載するカメラ付き携帯端末の画像セキュリティ設定方法のプログラムであって、コンピュータに、前記撮影手段にて撮影した画像に少なくとも当該撮影手段にて撮影されたことを示す判別情報と外部からの指定に基づいて少なくとも前記画像の複写の可否を示す複写設定及び前記画像の転送の可否を示す転送設定からなる画像セキュリティ設定とを付加して前記撮影手段にて撮影した画像を記録する記録手段に記録する処理を実行させるためのプログラム。
【請求項１２】
前記コンピュータに、前記判別情報が自端末に保存された判別情報と一致した時に前記記録手段に記録された画像の前記画像セキュリティ設定を変更する処理を実行させるための請求項１１記載のプログラム。
【発明の詳細な説明】
【技術分野】
【０００１】
本発明はカメラ付き携帯端末及びそれに用いる画像セキュリティ設定方法並びにそのプログラムに関し、特にカメラ付き携帯端末にて撮影した画像のセキュリティに関する。
【背景技術】
【０００２】
従来、この種のカメラ付き携帯端末においては、自端末に搭載されたディジタルカメラにて撮影を行って保存した画像の外部記録媒体等への複写や他の端末等への転送を自由に行うことができる（例えば、特許文献１，２参照）。
【０００３】
また、他のカメラ付き携帯端末にて撮影された画像を通信手段を用いて受け取った場合でも、さらにその画像を別の端末に転送することが可能となっており、その画像を複写することで１枚の画像を複数枚の画像として記録することができる。
【０００４】
【特許文献１】特開２００３−９１４８５号公報
【特許文献２】特開２００２−８４４４８号公報
【発明の開示】
【発明が解決しようとする課題】
【０００５】
上述した従来のカメラ付き携帯端末では、自端末にて撮影を行って保存した画像の外部記録媒体等への複写や他の端末等への転送を自由に行うことができるので、他の端末にて撮影された画像を受け取った場合でも、さらにその画像を別の端末に転送することができるため、個人情報が大勢に流出する可能性がある。したがって、携帯端末の進化にともなって画像各々にセキュリティ設定を行える方法が求められている。
【０００６】
そこで、本発明の目的は上記の問題点を解消し、自端末で撮影された画像及びそれ以外の画像の外部への誤流出を低減することができるカメラ付き携帯端末及びそれに用いる画像セキュリティ設定方法並びにそのプログラムを提供することにある。
【０００７】
また、本発明の他の目的は、自端末で撮影された画像及びそれ以外の画像の外部への誤流出等の情報流出をより低減することができるカメラ付き携帯端末及びそれに用いる画像セキュリティ設定方法並びにそのプログラムを提供することにある。
【課題を解決するための手段】
【０００８】
本発明によるカメラ付き携帯端末は、画像を撮影する撮影手段を搭載するカメラ付き携帯端末であって、前記撮影手段にて撮影した画像を記録する記録手段と、前記画像に少なくとも当該撮影手段にて撮影されたことを示す判別情報と外部からの指定に基づいて少なくとも前記画像の複写の可否を示す複写設定及び前記画像の転送の可否を示す転送設定からなる画像セキュリティ設定とを付加して前記記録手段に記録する手段とを備えている。
【０００９】
本発明による他のカメラ付き携帯端末は、上記の構成のほかに、前記判別情報が自端末に保存された判別情報と一致した時に前記記録手段に記録された画像の前記画像セキュリティ設定を変更する手段を具備している。
【００１０】
本発明による画像セキュリティ設定方法は、画像を撮影する撮影手段を搭載するカメラ付き携帯端末の画像セキュリティ設定方法であって、前記カメラ付き携帯端末側に、前記撮影手段にて撮影した画像に少なくとも当該撮影手段にて撮影されたことを示す判別情報と外部からの指定に基づいて少なくとも前記画像の複写の可否を示す複写設定及び前記画像の転送の可否を示す転送設定からなる画像セキュリティ設定とを付加して前記撮影手段にて撮影した画像を記録する記録手段に記録するステップを備えている。
【００１１】
本発明による他の画像セキュリティ設定方法は、上記のステップのほかに、前記カメラ付き携帯端末側に、前記判別情報が自端末に保存された判別情報と一致した時に前記記録手段に記録された画像の前記画像セキュリティ設定を変更するステップを具備している。
【００１２】
本発明による画像セキュリティ設定方法のプログラムは、画像を撮影する撮影手段を搭載するカメラ付き携帯端末の画像セキュリティ設定方法のプログラムであって、コンピュータに、前記撮影手段にて撮影した画像に少なくとも当該撮影手段にて撮影されたことを示す判別情報と外部からの指定に基づいて少なくとも前記画像の複写の可否を示す複写設定及び前記画像の転送の可否を示す転送設定からなる画像セキュリティ設定とを付加して前記撮影手段にて撮影した画像を記録する記録手段に記録する処理を実行させている。
【００１３】
本発明による他の画像セキュリティ設定方法のプログラムは、前記コンピュータに、上記の処理のほかに、前記判別情報が自端末に保存された判別情報と一致した時に前記記録手段に記録された画像の前記画像セキュリティ設定を変更する処理を実行させている。
【００１４】
すなわち、本発明のカメラ付き携帯端末は、他の端末から転送されてきた画像を外部記憶装置に複写したり、通信手段を用いて他の外部機器に転送する場合に、誤って外部へ流出してしまうことを低減させることを目的とし、撮影画像保存時に自端末に設定された判別情報（例えば、ユーザが設定したパスワード等を含む個別情報やメールアドレス、及び自端末の製造番号等）を記録し、それを鍵とすることで、自端末で撮影した画像に限って複写や転送を指定可能とすることを特徴とする。
【００１５】
本発明のカメラ付き携帯端末では、自端末に搭載されたディジタルカメラにて撮影を行って保存する際に、自端末で撮影した全ての画像に対して、画像セキュリティ設定を付加して記録するとともに、その画像セキュリティ設定に対応するユーザ情報を記録している。ここで、画像セキュリティ設定とはユーザ操作によって画像の複写や転送の許可及び不許可を設定する機能であり、ユーザ情報とは自端末のメーカ名や機種名、及びその画像セキュリティ設定を行うための判別情報等の自端末固有の情報を指している。
【００１６】
本発明のカメラ付き携帯端末では、ユーザ操作によって複写設定を行うことで、自端末内部に保存された画像の複写時に設定内容の確認を行い、複写設定が「不許可」の場合に画像の複写を抑止し、画像を複写できない旨の表示を行っている。
【００１７】
また、本発明のカメラ付き携帯端末では、ユーザ操作によって転送設定を行うことで、自端末内部に保存された画像の転送時に設定内容の確認を行い、転送設定が「不許可」の場合に画像の転送を抑止し、画像を転送できない旨の表示を行っている。
【００１８】
さらに、本発明のカメラ付き携帯端末では、自端末にて撮影された画像や、転送や複写によって保存された画像を含め、既に保存されている画像が、画像撮影時に記録されたユーザ情報（判別情報）と自端末内に保存されているユーザ情報（判別情報）との比較を行い、それらが一致した場合のみ画像セキュリティ設定の変更を行えるようにしている。
【００１９】
これは、画像を撮影した自端末のみが既に保存されている画像セキュリティ設定を変更可能とするためであり、複写設定と転送設定との組合せによって、他の外部機器に画像が保存された場合に、撮影を行ったカメラ付き携帯端末と他の外部機器とを判別するために行うものである。
【００２０】
これによって、本発明のカメラ付き携帯端末では、自端末内に保存された画像に対して外部記憶装置への複写や通信手段による他の外部機器への転送を抑止することで、自端末で撮影された画像及びそれ以外の画像の外部への誤流出を低減可能としている。
【００２１】
また、本発明のカメラ付き携帯端末では、画像データ自体に自端末にて予め設定された判別情報を記録することで、撮影者以外の機器において簡単に画像のセキュリティ設定を変更できないようにしており、情報流出のさらなる低減を可能としている。
【発明の効果】
【００２２】
本発明は、以下に述べるような構成及び動作とすることで、自端末で撮影された画像及びそれ以外の画像の外部への誤流出を低減することができるという効果が得られる。
【００２３】
また、本発明は、以下に述べるような構成及び動作とすることで、自端末で撮影された画像及びそれ以外の画像の外部への誤流出等の情報流出をより低減することができるという効果が得られる。
【発明を実施するための最良の形態】
【００２４】
次に、本発明の実施例について図面を参照して説明する。図１は本発明の一実施例によるカメラ付き携帯端末機の構成を示すブロック図である。図１において、カメラ付き携帯端末機１は制御部１１と、撮影部（ディジタルカメラ）１２と、操作部（キー）１３と、表示部（ディスプレイ）１４とから構成されている。
【００２５】
制御部１１はユーザデータ情報記憶部１１１と、画像や自端末にて実行されるプログラム等を記憶する記憶装置１１２と、外部記憶装置２のインタフェース２１に接続するためのインタフェース１１３とを備えている。
【００２６】
ユーザ情報記憶部１１１には自端末のメーカ名や機種名、画像が自端末で撮影されたものか否かを判別するための判別情報とがユーザ情報として記録されている。判別情報としては、例えば、ユーザが設定したパスワード等を含む個別情報、メールアドレス、自端末の電話番号、自端末の製造番号等が考えられ、転送先で復号可能であればそれらを暗号化した情報等も考えられる。
【００２７】
撮影部１２、操作部１３、表示部１４はそれぞれ制御部１１に接続されており、それぞれの起動または終了の確認及び制御が制御部１１によって行われる。インタフェース１１３と外部記憶装置２内のインタフェース２１とを接続することで、自端末と外部記憶装置２とを接続することができる。
【００２８】
尚、本実施例の説明において、「表示」と示す場面では、全て表示部１４であるディスプレイにて表示するものとする。
【００２９】
図２は本発明の一実施例による撮影画像データの構成例を示す図である。図２において、カメラ付き携帯端末機１で撮影された画像は撮影画像データファイル３１として記憶装置１１２に記録される。
【００３０】
撮影画像データファイル３１の具体的な例としてＪＰＥＧ（Ｊｏｉｎｔ  Ｐｈｏｔｏｇｒａｐｈｉｃ  Ｅｘｐｅｒｔｓ  Ｇｒｏｕｐ）ファイルのフォーマットを用いて説明する。
【００３１】
撮影画像データファイル３１は画像データの開始を示す圧縮データスタートタグ（Ｓｔａｒｔ  Ｏｆ  Ｉｍａｇｅ）３２と、撮影画像の情報が格納されている付属情報部３３と、ヘッダ部３４と、主画像圧縮データ３５と、画像データの終了を示す圧縮データ終了タグ（Ｅｎｄ  Ｏｆ  Ｉｍａｇｅ）３６とから構成されている。ここで、主画像圧縮データ３５の主画像とは、実際に撮影された画像を指している。
【００３２】
付属情報３３はデータ形式を識別可能とするコード等を格納したアプリケーション領域情報３７と、主画像情報３８と、主画像のサムネイルを格納したサムネイル部３９とのの３つによって構成されている。
【００３３】
主画像情報３８は画像ファイルフォーマットバージョンに関する情報４０と、画像データの特性に関する情報４１と、画像データの構成に関する情報４２と、ユーザ情報に関する情報４３と、関連ファイルに関する情報４４と、日付に関する情報４５と、撮影条件に関する情報４６とから構成されている。
【００３４】
本実施例では、撮影画像保存時に、主画像情報３８内のユーザに関する情報４３に、ユーザ操作によって設定された画像セキュリティ設定を保存するようにしている。また、カメラ付き携帯端末機１の制御部１１が備えているユーザ情報記憶部１１１の記憶内容も、上記と同様に、撮影画像保存時に、ユーザに関する情報４３に保存される。
【００３５】
図３は本発明の一実施例によるカメラ付き携帯端末機１の撮影画像保存処理を示すフローチャートであり、図４は本発明の一実施例によるカメラ付き携帯端末機１の撮影画像保存処理における操作画面を示す図である。これら図１〜図４を参照して本発明の一実施例によるカメラ付き携帯端末機１の撮影画像保存処理について説明する。尚、図３に示す処理は制御部１１が記憶装置１１２のプログラムを実行することで実現される。
【００３６】
カメラ付き携帯端末機１の撮影部１２であるディジタルカメラが起動され［図３（ａ）ステップＳ１］、ユーザ操作によって操作部１３のシャッタボタンであるキーが押下されると［図３（ａ）ステップＳ２］、制御部１１は撮影を行った画像Ａに対して保存するか否かの選択画面を表示部１４に表示する［図４（ａ）参照］。
【００３７】
制御部１１はユーザ操作によって操作部１３の保存決定キーが押下されると［図３（ａ）ステップＳ３］、撮影画像セキュリティ設定選択画面を表示部１４に表示する［図３（ａ）ステップＳ４］［図４（ｂ）参照］。この撮影画像セキュリティ設定選択画面で、「はい」が選択されると、制御部１１はセキュリティ設定を行う。
【００３８】
続いて、制御部１１は外部記憶装置２への画像Ａの複写を許可するか否かの選択画面を表示させ［図３（ａ）ステップＳ５］［図４（ｃ）参照］、「許可」が選択されると、撮影画像データファイル３１のユーザに関する情報４３に複写設定「許可」を設定する［図３（ａ）ステップＳ６］。また、制御部１１は「不許可」が選択されると、撮影画像データファイル３１のユーザに関する情報４３に複写設定「不許可」を設定する［図３（ａ）ステップＳ７］。
【００３９】
次に、制御部１１は図示せぬ外部機器への画像Ａの転送を許可するか否かの選択画面を表示させる［図３（ａ）ステップＳ８］［図４（ｄ）参照］。ここで、制御部１１は「許可」が選択されると、撮影画像データファイル３１のユーザに関する情報４３に転送設定「許可」を設定する［図３（ａ）ステップＳ９］。また、制御部１１は「不許可」が選択されると、撮影画像データファイル３１のユーザに関する情報４３に転送設定「不許可」を設定する［図３（ａ）ステップＳ１０］。
【００４０】
次に、制御部１１はユーザ情報記憶部１１１から、カメラ付き携帯端末機１のメーカ名・機種名・判別情報（自端末の製造番号等）を読出し［図３（ａ）ステップＳ１１］、撮影画像データファイル３１のユーザに関する情報４３に記録し、撮影画像Ａを記憶装置１１２に保存し［図３（ａ）ステップＳ１２］、ステップＳ２のディジタルカメラの撮影状態に戻る。
【００４１】
また、撮影画像セキュリティ設定にて「いいえ」が選択されると、制御部１１はセキュリティ設定を行わずに、ユーザ情報記憶部１１２から、カメラ付き携帯端末機１のメーカ名・機種名・判別情報（自端末の製造番号等）を読出し［図３（ａ）ステップＳ１１］、撮影画像Ａの保存のみの処理を行い［図３（ａ）ステップＳ１２］、ステップＳ２のディジタルカメラの撮影状態へ戻る。
【００４２】
カメラ付き携帯端末機１では、ディジタルカメラの起動後、どの処理中においても操作部１３のカメラ終了キーが押下されると、割込みが発生してディジタルカメラの終了となる［図３（ｂ）ステップＳ１３］。
【００４３】
図５は本発明の一実施例によるカメラ付き携帯端末機１に保存されている画像の外部記憶装置２への複写処理を示すフローチャートであり、図６は本発明の一実施例によるカメラ付き携帯端末機１に保存されている画像の外部記憶装置２への複写処理における操作画面を示す図である。これら図１と図２と図５と図６とを参照して本発明の一実施例によるカメラ付き携帯端末機１に保存されている画像の外部記憶装置２への複写処理について説明する。尚、図５に示す処理は制御部１１が記憶装置１１２のプログラムを実行することで実現される。
【００４４】
ユーザ操作によって外部記憶装置２への複写処理が選択されると、制御部１１は外部記憶装置２が接続されているか否かの判断を行い（図５ステップＳ２１）、接続されていなければ、その旨の表示を行った後（図５ステップＳ２３）［図６（ａ）参照］、処理を終了する。
【００４５】
制御部１１は外部記憶装置２が接続されていれば、複写画像選択画面を表示し、複写画像の選択処理を行わせる（図５ステップＳ２３）［図６（ｂ）参照］。制御部１１は選択された画像Ａ〜Ｄの撮影画像データファイル３１にユーザに関する情報４３があるかを判断する（図５ステップＳ２４）。
【００４６】
制御部１１は撮影画像データファイル３１にユーザに関する情報４３があれば、撮影画像データファイル３１のユーザに関する情報４３内の複写設定を参照して複写設定の判断を行う（図５ステップＳ２５）。
【００４７】
制御部１１は複写設定が「許可」に設定されている場合、外部記憶装置２に撮影画像データファイル３１を複写し（図５ステップＳ２６）、画像の複写を終了した後、複写完了の表示を行う（図５ステップＳ２７）［図６（ｃ）参照］。
【００４８】
制御部１１は撮影画像データファイル３１にユーザに関する情報４３がない場合、あるいは複写設定が「不許可」に設定されている場合、複写が不許可である旨の表示を行い（図５ステップＳ２８）［図６（ｄ）参照］、処理を終了する。尚、撮影画像データファイル３１にユーザに関する情報４３がない場合には、ユーザに関する情報４３がない旨を表示するようにしてもよい。
【００４９】
図７は本発明の一実施例によるカメラ付き携帯端末機１に保存されている画像の外部機器への転送処理を示すフローチャートであり、図８は本発明の一実施例によるカメラ付き携帯端末機１に保存されている画像の外部機器への転送処理における操作画面を示す図である。これら図１と図２と図７と図８とを参照して本発明の一実施例によるカメラ付き携帯端末機１に保存されている画像を通信手段にて外部機器へ転送する処理について説明する。
【００５０】
尚、図７に示す処理は制御部１１が記憶装置１１２のプログラムを実行することで実現される。以下、電子メール（Ｅ−ｍａｉｌ）にカメラ付き携帯端末機１に保存されている画像を添付して転送する際の処理について説明する。
【００５１】
送信メール作成画面にて宛先、件名、本文の作成が行われると（図７ステップＳ３１）［図８（ａ）参照］、制御部１１は記憶装置１１２に保存されている画像を送信メールに添付するかの判断を行い（図７ステップＳ３２）、保存画像の送信メールへの添付を行わなければ、操作部１３の送信キーが押下され次第、送信メールの送信を行う（図７ステップＳ３８）。
【００５２】
制御部１１は送信メールに保存画像を添付する場合、転送画像選択画面を表示させて転送画像の選択処理を行わせる（図７ステップＳ３３）［図８（ｂ）参照］。制御部１１は選択された画像の撮影画像データファイル３１にユーザに関する情報４３があるかを判断する（図７ステップＳ３４）。
【００５３】
制御部１１は撮影画像データファイル３１にユーザに関する情報４３があれば、撮影画像データファイル３１のユーザに関する情報４３内の転送設定を参照して転送設定の判断を行う（図７ステップＳ３５）。制御部１１は転送設定が「許可」に設定されている場合、選択された保存画像の送信メールへの添付を行い、添付の欄にファイル名を表示する（図８ステップＳ３６）［図８（ｃ）参照］。
【００５４】
制御部１１は撮影画像データファイル３１にユーザに関する情報４３がない場合、あるいは転送設定が「不許可」に設定されている場合、転送不許可である旨の表示を行い（図７ステップＳ３７）［図８（ｄ）参照］、操作部１３の送信キーが押下され次第、送信メールの送信を行う（図７ステップＳ３８）。尚、撮影画像データファイル３１にユーザに関する情報４３がない場合には、ユーザに関する情報４３がない旨を表示するようにしてもよい。
【００５５】
図９は本発明の一実施例によるカメラ付き携帯端末機１に保存されている画像のセキュリティ設定の変更処理を示すフローチャートである。これら図１と図２と図９とを参照して本発明の一実施例によるカメラ付き携帯端末機１に保存されている画像のセキュリティ設定を変更する処理について説明する。尚、図９に示す処理は制御部１１が記憶装置１１２のプログラムを実行することで実現される。
【００５６】
既に記憶装置１１２に保存されている画像の中からセキュリティ設定を変更したい画像を選択すると（図９ステップＳ４１）、制御部１１は選択された画像の撮影画像データファイル３１にユーザに関する情報４３があるかを判断する（図９ステップＳ４２）。
【００５７】
制御部１１は撮影画像データファイル３１にユーザに関する情報４３があれば、選択された画像の撮影画像データファイル３１のユーザに関する情報４３内に記録されている判別情報を参照し、ユーザ情報記憶部１１１に記憶されている判別情報との比較を行う（図９ステップＳ４３）。本実施例では、判別情報の比較を行うことで、選択された画像が自端末の撮影部１２で撮影されたものであるか否かを判断することができる。
【００５８】
判別情報が一致した場合、制御部１１は上述した撮影画像保存時に行うセキュリティ設定と同様に、複写設定の設定（図９ステップＳ４５〜Ｓ４７）、転送設定の設定（図９ステップＳ４８〜Ｓ５０）をそれぞれ行い、新たなセキュリティ設定を保存し（図９ステップＳ５１）、処理を終了する。
【００５９】
制御部１１は撮影画像データファイル３１にユーザに関する情報４３がない場合、あるいは判別情報が不一致の場合、選択された画像が他の機器にて撮影されたものであるため、セキュリティ設定の変更ができない旨を表示し（図９ステップＳ４４）、処理を終了する。尚、撮影画像データファイル３１にユーザに関する情報４３がない場合には、ユーザに関する情報４３がない旨を表示するようにしてもよい。
【００６０】
このように、本実施例では、カメラ付き携帯端末機１にて保存された画像（自端末や他の機器で撮影された画像）を外部記憶装置２に複写したり、通信手段を用いて他の外部機器に転送したりする際に、自端末や他の機器で撮影された画像を誤って外部へ流出させてしまうことを低減させることができる。
【００６１】
また、本実施例では、画像データ自体に、その画像を撮影したカメラ付き携帯端末機１にて予め設定された判別情報を記録することで、撮影者以外の機器では簡単にセキュリティ設定変更ができないので、自端末や他の機器で撮影された画像等の情報流出をより低減することができる。
【００６２】
尚、本実施例では、セキュリティ設定を撮影画像データファイル３１に保存しているので、転送設定にて「許可」としたものに対し、携帯電話機限定の転送許可指定を選択することもできる。
【００６３】
携帯電話機に表示可能な画像は限られており、また画像の加工も限定であること、撮影画像データファイル３１の実データを変更するのが容易でないことから、携帯電話機にのみ転送を許可することで、撮影者の意志に反するデータの加工が防止され、待ち受け画面の設定や着信表示等の限られた範囲だけの使用が可能となる。
【００６４】
ここで、携帯電話機限定の転送許可指定とは、画像の転送先を携帯電話機に限定して許可するものである。転送先の端末が携帯電話機であるかどうかの判断は、宛先に記されているメールアドレスのドメイン名を判断して行うものとする。
【００６５】
図１０は本発明の他の実施例によるカメラ付き携帯端末機の撮影画像保存処理を示すフローチャートである。本発明の他の実施例によるカメラ付き携帯端末機は図１に示すカメラ付き携帯端末機１と同様の構成となっており、本発明の他の実施例による撮影画像データファイルの構成も図２に示す撮影画像データファイル３１と同様となっているので、これら図１と図２と図１０とを参照して本発明の他の実施例によるカメラ付き携帯端末機１の撮影画像保存処理について説明する。
【００６６】
尚、図１０に示す処理は制御部１１が記憶装置１１２のプログラムを実行することで実現される。また、図１０（ａ）のステップＳ６１〜Ｓ６９，Ｓ７１，Ｓ７３，Ｓ７４及び図１０（ｂ）のステップＳ７５の処理は図３（ａ）のステップＳ１〜Ｓ８，Ｓ１０〜Ｓ１２及び図３（ｂ）のステップＳ１３の処理と同様であるので、その説明は省略する。
【００６７】
カメラ付き携帯端末機１にて画像を撮影し、その画像を保存する際に撮影画像セキュリティ設定が行われると、制御部１１は転送設定の選択にて「許可」が選択された場合［図１０（ａ）ステップＳ６８］、転送先が携帯電話機である場合のみ転送可能とする設定を行うか否かの判断をする［図１０（ａ）ステップＳ７０］。
【００６８】
制御部１１は携帯電話機限定の転送許可が指定されると、携帯電話機限定の転送許可を設定し［図１０（ａ）ステップＳ７２］、携帯電話機限定の許可指定が行われなければ、全ての外部機器に対して転送許可を設定する［図１０（ａ）ステップＳ７１］。
【００６９】
図１１は本発明の他の実施例によるカメラ付き携帯端末機１に保存されている画像の外部機器への転送処理を示すフローチャートである。これら図１と図２と図１１とを参照して本発明の他の実施例によるカメラ付き携帯端末機１に保存されている画像を通信手段にて外部機器へ転送する処理について説明する。
【００７０】
尚、図１１に示す処理は制御部１１が記憶装置１１２のプログラムを実行することで実現される。以下、電子メール（Ｅ−ｍａｉｌ）にカメラ付き携帯端末機１に保存されている画像を添付して転送する際の処理について説明する。また、図１１のステップＳ８１〜Ｓ８６，Ｓ８９，Ｓ９１の処理は図７のステップＳ３１〜Ｓ３８の処理と同様であるので、その説明は省略する。
【００７１】
制御部１１は送信メールに添付して転送する画像が選択され、その画像の転送設定が許可であった場合（図１１ステップＳ８５）、携帯電話機限定の転送許可であるかの判断を行う（図１１ステップＳ８７）。ここで、制御部１１は携帯電話機限定の転送許可でなかった場合、選択された画像を送信メールに添付する（図１１ステップＳ８９）。
【００７２】
携帯電話機限定の転送許可であった場合、制御部１１は宛先に記載されているアドレスのドメイン名が全て携帯電話会社のものであるか否かの判断を行う（図１１ステップＳ８８）。制御部１１は全てが携帯電話会社のものであった場合、選択された画像を送信メールに添付する（図１１ステップＳ８９）。また、制御部１１は携帯電話会社以外のドメイン名が含まれていた場合、その旨の表示を行い（図１１ステップＳ９０）、選択された画像の送信メールへの添付を行わない。
【図面の簡単な説明】
【００７３】
【図１】本発明の一実施例によるカメラ付き携帯端末機の構成を示すブロック図である。
【図２】本発明の一実施例による撮影画像データの構成例を示す図である。
【図３】本発明の一実施例によるカメラ付き携帯端末機の撮影画像保存処理を示すフローチャートである。
【図４】本発明の一実施例によるカメラ付き携帯端末機の撮影画像保存処理における操作画面を示す図である。
【図５】本発明の一実施例によるカメラ付き携帯端末機に保存されている画像の外部記憶装置２への複写処理を示すフローチャートである。
【図６】本発明の一実施例によるカメラ付き携帯端末機に保存されている画像の外部記憶装置への複写処理における操作画面を示す図である。
【図７】本発明の一実施例によるカメラ付き携帯端末機に保存されている画像の外部機器への転送処理を示すフローチャートである。
【図８】本発明の一実施例によるカメラ付き携帯端末機に保存されている画像の外部機器への転送処理における操作画面を示す図である。
【図９】本発明の一実施例によるカメラ付き携帯端末機に保存されている画像のセキュリティ設定の変更処理を示すフローチャートである。
【図１０】本発明の他の実施例によるカメラ付き携帯端末機の撮影画像保存処理を示すフローチャートである。
【図１１】本発明の他の実施例によるカメラ付き携帯端末機１に保存されている画像の外部機器への転送処理を示すフローチャートである。
【符号の説明】
【００７４】
１  カメラ付き携帯端末機
２  外部記憶装置
１１  制御部
１２  撮影部
１３  操作部
１４  表示部
２１，１１３  インタフェース
３１  撮影画像データファイル
３２  圧縮データスタートタグ
３３  付属情報部
３４  ヘッダ部
３５  主画像圧縮データ
３６  圧縮データ終了タグ
３７  アプリケーション領域情報
３８  主画像情報
３９  サムネイル部
４０  画像ファイルフォーマットバージョンに関する情報
４１  画像データの特性に関する情報
４２  画像データの構成に関する情報
４３  ユーザ情報に関する情報
４４  関連ファイルに関する情報
４５  日付に関する情報
４６  撮影条件に関する情報
１１１  ユーザデータ情報記憶部
１１２  記憶装置
【図１】
2005167641.tif 000003
【図２】
2005167641.tif 000004
【図３】
2005167641.tif 000005
【図４】
2005167641.tif 000006
【図５】
2005167641.tif 000007
【図６】
2005167641.tif 000008
【図７】
2005167641.tif 000009
【図８】
2005167641.tif 000010
【図９】
2005167641.tif 000011
【図１０】
2005167641.tif 000012
【図１１】
2005167641.tif 000013